【事件の表示】
　特許第２７６６６３６号「給湯・追焚方法」の特許に対する特許異議の申立てについて、次のとおり決定する。
【結論】
　訂正を認める。
　特許第２７６６６３６号の特許を維持する。
【理由】
１，手続の経緯
　本件特許第２７６６６３６号に係る発明の特許は、その出願が昭和６１年６月１４日を原出願日とする特願平６−２８４３７９号の一部を平成９年４月１４日に新たな特許出願としたものであり、平成１０年４月３日に特許権の設定の登録があり、その後、異議申立人パロマ工業株式会社より特許異議の申立てがあり、平成１１年３月８日付けで取消理由を通知したところ、平成１１年５月１８日付けで訂正請求がなされた。
２，訂正の可否
　本件訂正は、特許請求の範囲の請求項１の「第１の加熱手段を動作させることにより検出温度から湯水を所定温度だけ加熱させ、この所定温度の・・・」の記載を、特許請求の範囲の減縮を目的として「第１の加熱手段を動作させることにより検出温度から湯水を前記検出温度より僅かに高い温度に加熱させ、その温度の・・・」と訂正し、それに伴い特許明細書の発明の詳細な説明の記載を明りょうでない記載の釈明を目的として訂正するものであり、上記訂正は願書に添付した明細書又は図面の記載事項の範囲内の訂正であって、特許請求の範囲を実質上又は変更するものでもない。
３，独立特許要件
３−１、本件発明
　訂正請求書により訂正された特許請求の範囲の請求項１に係る発明（以下「本件発明」という。）は、明細書及び図面の記載からみて特許請求の範囲の請求項１に記載された下記の事項を要旨とするものと認める。
　請求項１
　浴槽に給湯するとともに浴槽内の湯水を追焚きによって加熱する給湯・追焚方法であって、
　浴槽内の湯水をポンプを以て循環経路に循環させることにより前記浴槽内の湯水を攪拌し、温度センサで検出した湯水の温度を取り込んだ後、第１の加熱手段を動作させることにより検出温度から湯水を前記検出温度より僅かに高い温度に加熱させ、その温度の上昇に要した加熱時間を計測し、この加熱時間と前記第１の加熱手段により前記湯水に加えられる熱量との積を前記所定温度で除すことにより前記浴槽内の水量を算出し、この検出水量と設定水量との比較により不足水量を求め、この不足水量分の上水を水量センサで検出するとともに第２の加熱手段により加熱して前記循環経路から前記浴槽に供給することにより浴槽内水量を前記設定水量に維持し、かつ、所定時間毎に前記ポンプを動作させて前記循環経路に循環させることにより前記浴槽内の湯水を攪拌し、前記温度センサで検出した湯水の温度が設定温度未満の場合には、前記第１の加熱手段により前記浴槽内の湯水を設定温度まで加熱することを特徴とする給湯・追焚き方法。
３−２，取消理由通知の概要
　取消理由通知の概要は、本件発明は、特開昭６１−１５０４７号公報（刊行物１）及び実願昭５８−１５１２３８号（実開昭６０−５９０３２号）のマイクロフィルム（刊行物２）に記載された発明に基いて当業者が容易に発明をすることができたものであるから、本件発明に係る特許は特許法第２９条第２項の規定に違反し、取り消されるべきものである、というにある。
３−３，刊行物の記載事項
（１）刊行物１について
「使用者が任意に設定した所定量の湯水を落とし込む給湯器と、落とし込んだ湯水を追い焚きする浴湯循環加熱器とを備えた風呂給湯装置において、浴槽に前記所定量の湯水を落とし込むに際し、浴槽に蓄えられた或る量の湯水を浴湯循環加熱器で一定時間加熱し、この加熱前後の湯温変化量によりその時点の湯水量を算出し、この算出量と予め設定された前記所定量とを比較して両者の差に相当する量の湯水を給湯器から補給することを特徴とする風呂給湯装置における水位設定方法。」（第１頁左欄５行〜１５行）
「風呂自動スイッチ（３２）のオン操作によりポンプ（１６）が駆動し、循環湯温検知サーミスタ（１８）が初期湯温（Ｔ１）を検出する。このとき流量スイッチ（１７）が作動しない場合、つまり浴槽（１９）にある程度の湯が未だ溜まっていない場合は、給湯器（２）側からある一定量の給湯落とし込みを行ったのち再度ポンプ（１６）を駆動する。流量スイッチ（１７）がオンになれば湯温（Ｔ１）を測定し、制御器（３５）内のメモリーに入れる。その後一定時間（ｔ）バーナ（１３）を燃焼させ、循環湯を加熱したのち湯温（Ｔ２）をサーミスタ（１８）で測定し、上記予めメモリーに記憶させておいた初期湯温（Ｔ１）と比較して湯温の上昇変化量（Ｔ２−Ｔ１）を求める。ところがバーナ（１３）の単位時間あたりの発熱量（インプット）（Ｉ）は決まっており、上記一定時間（ｔ）のバーナ（１３）の燃焼により循環湯に与えられた総発熱量は決まるので、湯温の変化量（Ｔ２−Ｔ１）とこの総発熱量とからどれだけの湯を加熱したかその湯量（Ｑ）を演算により求めることができる。すなわち熱交換器（１２）の熱効率をηとすると、
となるのであり、これを予め湯量設定つまみ（３４）で設定しておいた希望湯量（これは最終的に浴槽に溜めたい湯量で、例えば１８０１）と比較し、不足する湯量分だけ流量センサ（２１）で計測しながらつぎ足せばよい訳である。」（第２頁右下欄１３行〜第３頁右上欄１行）
「これにより上記した必要補水量の算出動作が行われ、しかるのち次の動作に移る。すなわち電磁弁（２２）が開いて水が流れ、流量センサ（８）の検出により給湯器（２）側が動作してバーナ（５）が着火し、予め固定された適温（例えば約３８℃）の湯が風呂給湯管（２０）から戻り管（１５）へと流れる。この時流量センサ（２１）による補水流量計測が開始され、湯は戻り管（１５）のポンプ（１６）方向、熱交換器（１２）方向の両方に分かれて送り出され、次第に浴槽（１９）に溜まっていく。そして流量センサ（２１）が前記で予め算出された補水量分の給湯を計測すると、電磁弁（２２）が閉じて給湯器の動作が停止し、その後ポンプ（１６）が回り始めて循環路内に強制流が生じ、これを流量スイッチ（１７）が検出するとバーナ（１３）が着火して、循環湯をサーミスタ（１８）が予め設定した湯温を検出する迄沸かし上げて停止するのである。この加熱の間、浴湯は浴槽（１９）内に勢いよく噴出されるので、上下の温度差がなく均一に沸き上がる。」（第３頁右上欄１１行〜左下欄１１行）
「加熱前後の湯温変化量よりその時点の湯水量を算出し、この算出量と予め設定された前記所定量とを比較して両者の差に相当する量の湯水を給湯器から補給することにより、最終の希望する量を得るものであるから、現場の器具設置条件や残り湯の有無などの使用条件に左右されることなく、常に設定量の水位が確実に得られる極めて優れた効果を達成することができる。」（第４頁右上欄１０行〜１８行）
（２）刊行物２について
「上記構成により、浴槽（１）に吸水して後温度設定器（９）にて所望の温度を設定し点火操作をすると当初は設定温度以下であるから制御装置（８）によりバーナ（６）の点滅器（７）及びポンプ（４）に信号が発せられバーナ（６）が燃焼して熱交換器（３）内を流過する水を加熱し、ポンプ（４）の回転作動により下段の循環パイプ（２ａ）により浴槽（１）内の水が吸入され熱交換器（３）に送られ、温められた湯が上段の循環パイプ（２ｂ）を経て強制的に浴槽（１）内に送出される。このようにして次第に水温が上昇し、下段の循環パイプ（２ａ）に設置された温度検出器（５）による検出温度が制御装置（８）において温度設定器（９）による設定温度と比較され、設定温度に達すると制御装置（８）よりバーナ（６）の燃焼及びポンプ（４）の作動を停止すべき指令が発せられ、点滅器（７）が作動してバーナ（６）の燃焼を停止し、またポンプ（４）の回転も停止する。その後一定時間（Ｔ１）経過後に制御装置（８）によりポンプ（４）を作動する指令が出されポンプ（４）が作動し浴槽（１）及び循環パイプ（２）内を湯が十分に循環，攪拌し湯温が平均化された時点（ポンプ作動後Ｔ２時間後）で温度検出器（５）からの検出温度と設定温度とを比較し、設定温度の許容温度差以上に低下している場合にはポンプ（４）を継続して作動し、かつバーナ（６）を再び燃焼させて、湯温が温度設定器（９）による設定温度に達すると前記の通りポンプ（４）の回転を停止し、かつバーナ（６）の燃焼を停止する。また、設定温度の許容温度差内にあればポンプ（４）の回転を停止する。以下同様に再び一定時間Ｔ１をおいてポンプ（４）を作動し、検出温度と設定温度とを比較して許容温度範囲にあるか否かによりバーナを点滅して湯温の調節をする（第２図参照）。これらの動作を繰返すことにより常に浴槽内の湯温を設定温度の許容温度差内に自動的に誤差なく調温することができる。」（第７頁３行〜第９頁６行）
３−４，当審の判断
　上記刊行物１及び刊行物２には、本件発明の構成要件である「第１の加熱手段を動作させることにより検出温度から湯水を前記検出温度より僅かに高い温度に加熱させ」た点が記載されていないし、示唆されてもいない。
　刊行物１に記載の発明は、一定時間（ｔ）バーナ（１３）を燃焼させ、湯温の上昇変化量（Ｔ２−Ｔ１）をみることにより湯量（Ｑ）をもとめるものであって、本件発明のように、検出温度よりも僅かに高い温度に加熱させ、その加熱時間を計測することにより浴槽内の水量を求めるものではない。
　また、加熱時間と温度上昇には密接な関係があるにしても、そのことからは、どちらか一方を固定して他方を検出値としたとしても湯量を求めることができるという事項が予期できるだけであって、温度上昇を「検出温度より僅かに高い温度」としたことまで導き出すことができない。
　刊行物２に記載の発明は、所定時間毎に攪拌し、湯温が設定温度以下になった場合にバーナを点火して湯温を自動調節するものであり、湯量を検出する方法としてバーナによる加熱を行うものではない。
　そして、本件発明は、上記の点により、明細書記載の「入浴者を火傷等の危険にさらすおそれはなく、安全性の高い水量及び保温制御が実現できる。」（訂正明細書第１０頁６行〜７行）との効果を奏するものである。
　よって、本件発明は刊行物１及び刊行物２に記載された発明に基いて当業者が容易に発明をすることができたものとすることができず、本件発明が特許出願の際独立して特許を受けることができるものである。
４，訂正の可否の判断
　上記２及び３で検討したように、本件訂正は、特許法第１２０条の４第２項及び同第３項で準用する特許法第１２６条第２項乃至第４項の規定に適合するから、訂正を認容する。
５，特許異議申立理由の概要
　特許異議申立理由の概要は、本件発明は、甲第１号証（特開昭６１−１５０４７号公報（刊行物１と同じ。））及び甲第２号証（実願昭５８−１５１２３８号（実開昭６０−５９０３２号）のマイクロフィルム（刊行物２と同じ。））に記載された発明に基いて当業者が容易に発明をすることができたものであるから、本件発明に係る特許は特許法第２９条第２項の規定に違反し、取り消されるべきである、というにある。
６，異議申立理由の検討
　異議申立の理由及び証拠が上記取消理由で通知した内容と同じであるから、上記３と同じ理由により、本件異議申立は理由があるものとすることができない。
７，むすび
　以上検討したように、異議申立の理由及び証拠によっては、本件発明に係る特許を取り消すことができない。
　また、他に本件発明に係る特許を取り消すべき理由を発見しない。
　よって、結論のとおり決定する。
【異議決定日】
平成１１年７月１６日（１９９９．７．１６）
【訂正の要旨】
（ａ），特許第２７６６６３６号明細書の特許請求の範囲の請求項１の「第１の加熱手段を動作させることにより検出温度から湯水を所定温度だけ加熱させ、この所定温度の・・・」の記載を、特許請求の範囲の減縮を目的と−して「第１の加熱手段を動作させることにより検出温度から湯水を前記検出温度より僅かに高い温度に加熱させ、その温度の・・・」と訂正する。
（ｂ），特許第２７６６６３６号明細書の発明の詳細な説明の［課題を解決するための手段］における段落番号［０００８］の「第１の加熱手段（追焚用熱交換器２２及び追焚バーナ２４）を動作させることにより検出温度から湯水を所定温度だけ加熱させ、この所定温度の・・・」の記載を、明りょうでない記載の釈明を目的として「第１の加熱手段（追焚用熱交換器２２及び追焚バーナ２４）を動作させることにより検出温度から湯水を前記検出温度より僅かに高い温度に加熱させ、その温度の・・・」と訂正する。
（ｃ），特許第２７６６６３６号明細書の発明の詳細な説明の段落番号［００４３］の「・・・追焚機能を利用して浴．槽内水量を検出し、・・・設定することができる。」の記載を「・・・追焚機能を利用して検出温度から湯水を前記検出温度より僅かに高い温度に加熱させて浴槽内水量を検出し、・・・設定することができる。特に、加熱時間を基準に浴槽内の湯水を加熱する従来の方法では、浴槽内の湯水が高温に加熱されて入浴者を火傷等の危険にさらすおそれがあるが、この発明では検出温度より僅かに高い温度に湯水を加熱するにすぎないため、入浴者を火傷等の危険にさらすおそれはなく、安全性の高い水量及び保温制御が実現できる。」と訂正する。
（５４）【発明の名称】
給湯・追焚方法
（５７）【特許請求の範囲】
　　【請求項１】　浴槽に給湯するとともに浴槽内の湯水を追焚きによって加熱する給湯・追焚方法であって、
　浴槽内の湯水をポンプを以て循環経路に循環させることにより前記浴槽内の湯水を攪拌し、温度センサで検出した湯水の温度を取り込んだ後、第１の加熱手段を動作させることにより検出温度から湯水を
前記検出温度より僅かに高い温度に
その
【発明の詳細な説明】
　　　【０００１】
　　【発明の属する技術分野】
　この発明は、浴槽に給湯するとともに前記浴槽内の湯水を追焚きによって加熱する給湯・追焚方法に関する。
　　　【０００２】
　　【従来の技術】
　給湯及び追焚きが可能な自動風呂釜において、浴槽内の水量を制御する場合、浴槽内の水量の検出が不可欠であり、その水量検出には、圧力スイッチや水位スイッチなど、浴槽内の水位を直接検知する水位検知装置が用いられて来た。
　　　【０００３】
　　【発明が解決しようとする課題】
　ところで、自動風呂釜は、加熱手段などを設置した器具本体側で加熱した湯をポンプを用いて浴槽側に移送する方法が採られ、浴槽内の湯を器具本体側に戻して再加熱する追焚機能を持っている。このような自動風呂釜では、加熱手段を設置した器具本体と浴槽とが離れた場所に設置され、例えば、家屋の一階側に器具本体、その二階側に浴槽が設置される場合がある。この場合、浴槽に設置された水位検知装置と器具本体を制御する制御装置とを結ぶ制御用信号線や制御装置などが複雑化し、そのために設置に手数を要する。
　　　【０００４】
　また、水量を器具本体側で計量して、浴槽へ供給すべき水量を最適化するようにした自動風呂釜がある。この風呂釜では浴槽の容積に対して適量の水を供給することができるが、器具本体側で浴槽内の水位を間接的に算出しているため、入浴などで減った水量は器具本体側で検知することができない。
　　　【０００５】
　何れの風呂釜においても、水位検知装置及びその配線が必要である。
　　　【０００６】
　そこで、この発明は、浴槽内水量の簡易な制御とともに、保温制御を実現した給湯・追焚方法を提供することを目的とする。
　　　【０００７】
　　【課題を解決するための手段】
　この発明の給湯・追焚方法は、浴槽内の水量を既存の追焚機能を利用して温度情報、時間情報及び熱量の各要素を用いて演算することにより浴槽内水量を遠隔的に検出し、不足水量分の給湯とともに、浴槽内の湯水の保温制御を実現している。
　　　【０００８】
　この発明の給湯・追焚方法は、図１及び図２に例示するように、浴槽に給湯するとともに浴槽内の湯水を追焚きによって加熱する給湯・追焚方法であって、浴槽（２０）内の湯水（４ｃ）をポンプ（５６）を以て循環経路（追焚循環管路６０）に循環させることにより前記浴槽内の湯水を攪拌し、温度センサ（７０）で検出した湯水の温度を取り込んだ後、第１の加熱手段（追焚用熱交換器２２及び追焚バーナ２４）を動作させることにより検出温度から湯水を
前記検出温度より僅かに高い温度
その
　　　【０００９】
　この発明の給湯・追焚方法にあっては、浴槽（２０）内の湯水（４ｃ）を循環経路（追焚循環管路６０）を通してポンプ（５６）によって圧送して第１の加熱手段（追焚用熱交換器２２）を通過させることにより、浴槽内の湯水を加熱する。その加熱に応じて浴槽内の水温が、例えば、特定温度ΔＴだけ上昇させるに必要な時間をｔ、第１の加熱手段の加熱能力をＮｏとすると、浴槽内の水量Ｑは、
　　　　　　　　Ｑ＝Ｎｏ・ｔ／ΔＴ　　　　　　　　　　　　・・・（１）
で与えられる。この結果、浴槽内の水量Ｑを算出することができる。
　　　【００１０】
　したがって、実際の浴槽に対して、第１の加熱手段に浴槽内の湯水を循環させて加熱する風呂釜では、浴槽内の水量Ｑは、第１の加熱手段の熱量（追焚バーナ２４の発熱量）、即ち、燃焼能力Ｎ（＝Ｎｏ）と、特定温度ΔＴだけ上昇させるに必要な時間ｔとから、式（１）によって水量Ｑ（＝Ｎ・ｔ／ΔＴ）として検出することができる。
　　　【００１１】
　そして、第１の加熱手段を通して湯水に加えられる熱量は、第１の加熱手段の発熱量と熱効率との積で与えられる。この場合、熱効率は、浴槽内の一定水量とこの水量を第１の加熱手段で加熱して得られた上昇温度との積を、上昇温度に到達させるに要した時間と第１の加熱手段における例えばバーナの発熱量との積で除すことにより求めたものであり、この値は、例えば、追焚時に求められる。
　　　【００１２】
　そこで、この熱効率は、追焚時毎に得られる検出値に基づいて演算することができ、その値を更新することができる。即ち、追焚時毎に求めた熱効率を次回の追焚時に使用することにより、常に最新のデータを以て浴槽内の水量の算出をすることができる。
　　　【００１３】
　このようにして得られた検出水量と設定水量との比較により不足水量を求め、この不足水量分の上水を水量センサで検出するとともに第２の加熱手段により加熱して循環経路から浴槽に供給することにより浴槽内水量を設定水量に維持し、かつ、所定時間毎にポンプを動作させて循環経路に循環させることにより浴槽内の湯水を攪拌し、温度センサで検出した湯水の温度が設定温度未満の場合には、第１の加熱手段により浴槽内の湯水を設定温度まで加熱する。この結果、設定温度及び設定湯量に制御でき、快適な入浴環境が実現される。
　　　【００１４】
　　【発明の実施の形態】
　以下、本発明を図面に示した実施形態を参照して詳細に説明する。
　図１は、この発明の給湯・追焚方法の実施形態を示し、この実施形態は自動風呂釜である。
　　　【００１５】
　図１に示すように、水道などから上水供給路としての上水供給管２５に供給された上水からなる水４ａは、給湯水流スイッチ２６を通過することによって、その水流が電気的に検出され、Ｄｗ１は給湯水流スイッチ２６によって得られた給湯水流検出信号を表わす。水４ａは、第２の加熱手段としての熱交換器２８及び給湯バーナ３０によって加熱される。
　　　【００１６】
　給湯バーナ３０には、燃焼用ガス３２が、電気的に開閉が制御される元弁３４及び給湯弁３６を経て供給され、Ｃｖ１は元弁３４の開閉制御信号、Ｃｖ２は給湯弁３６の開閉制御信号を表わす。給湯バーナ３０に供給されたガス３２は、点火手段として電気的に着火されるイグナイタ３８によって着火され、Ｓｆ１はその着火信号を表わす。ガス３２の着火の有無は、炎の有無を電気的に検出するフレームロッドと称する炎検出器４０で検出され、Ｄｆ１は着火検出信号を表わしている。
　　　【００１７】
　そして、熱交換器２８を通過して得られた温水４ｂは、温度検出手段として設置された給湯温度を電気的に検出するサーミスタなどで構成される給湯温度検出器４２を通過して、その温度が検出される。Ａｔ１は、その給湯温度検出信号を表わす。この給湯温度検出器４２を通過した温水４ｂは、電気的に給湯・注湯方向が切り換えられる給湯・注湯切換弁４４に導かれて、給湯・注湯切換信号Ｓｈ１によって給湯口４６側への供給と、浴槽２０側への注湯とが切り換えられる。
　　　【００１８】
　給湯・注湯切換弁４４を経て注湯側ｂに導かれた温水４ｂは、流量を電気的に検出する水流量センサ４７によってその流量が検出され、Ｄｍはその水流量検出信号を表わす。この水流量センサ４７を通過した温水４ｂは、水道側とを遮断するホッパ４８を経て、給湯方向を電気的に切り換える追焚・注湯切換弁５０に導かれて、追焚・注湯切換信号Ｓｈ２に応じて追焚側、注湯側に切り換えられる。
　　　【００１９】
　この場合、注湯側ｃでは、浴槽２０に対して直結された管路５２から温水４ｂが浴槽２０に対して電気的に水を循環させるポンプ５６を介して矢印Ｂで示す方向に供給される。Ｄｒは、ポンプ５６を駆動するポンプ駆動信号を表わす。
　　　【００２０】
　また、追焚側ｄでは、追焚・注湯切換弁５０によって注湯を禁止するとともに、浴槽２０に対して追焚きのための浴槽２０内の湯水４ｃを、浴槽２０内の循環口５４を介して矢印Ａで示す方向に、追焚・注湯切換弁５０の追焚側通路を含む循環経路としての追焚循環管路６０によってポンプ５６を介して循環させる。
　　　【００２１】
　追焚循環管路６０内を通過する湯水４ｃは、電気的に水流の有無を検出する水流センサ６２によって検出され、Ｄｗ２はその検出信号を表わす。
　　　【００２２】
　追焚循環管路６０には第１の加熱手段としての追焚用熱交換器２２及び追焚バーナ２４が設置されており、浴槽２０内の湯水４ｃは追焚きによって加熱される。この場合、追焚バーナ２４には燃焼用ガス３２が、電気的に開閉が制御される追焚ガス弁６４を経て供給され、追焚ガス弁６４は開閉制御信号Ｃｖ３によって開閉が制御される。追焚バーナ２４に供給された燃焼用ガス３２は、給湯バーナ３０の場合と同様に、点火手段として電気的に着火されるイグナイタ６６によって着火され、Ｓｆ２はその着火信号を表わす。燃焼用ガス３２の着火の有無は、炎の有無を電気的に検出する炎検出器６８で検出され、Ｄｆ２は着火検出信号を表わす。
　　　【００２３】
　そして、追焚きによって加熱された浴槽２０内の湯水４ｃは、追焚循環管路６０側で電気的に水温を検出するサーミスタなどからなる温度センサ７０によって検出され、Ａｔ２はその温度検出信号を表わす。
　　　【００２４】
　そして、水４ａの加熱系統、浴槽２０への温水４ｂの供給系統または浴槽２０内の湯水４ｃの追焚循環系統は、図２に示す加熱、供給または追焚を行う給湯制御装置によって制御される。
　　　【００２５】
　この給湯制御装置は、制御手段としての主装置７２と遠隔制御器７４とから構成されており、主装置７２は熱交換器２２、２８などを設置した器具本体側に設置され、また、遠隔制御器７４は浴槽２０内から入浴者が任意に調節可能な浴室内などに設置される。給湯水流検出信号ＤＷ１、給湯側の着火検出信号Ｄｆ１、給湯側の水流量検出信号Ｄｍ、追焚水流検出信号ＤＷ２及び追焚側の着火検出信号Ｄｆ２のディジタルデータは、入力回路７２１を経て中央演算処理部（ＣＰＵ）７２２に取り込まれる。また、給湯温度検出信号Ａｔ１及び追焚温度検出信号Ａｔ２は、アナログ信号であるため、入力部に設置されたマルチプレクサ７２４による時分割によって交互にアナログ・ディジタル変換回路７２３に加えられ、アナログ・ディジタル変換された後、ＣＰＵ７２２に取り込まれる。
　　　【００２６】
　ＣＰＵ７２２は、書込み専用の記憶素子（ＲＯＭ）７２５に書き込まれた加熱、供給または追焚制御プログラムに従って演算処理を行う。また、取り込んだ各種データ及び演算処理上のデータは、書込み、読出し自由な記憶素子（ＲＡＭ）７２６に書き込まれる。
　　　【００２７】
　加熱、供給または追焚制御の指令は、遠隔制御器７４のスイッチの操作によって行い、その指令信号は遠隔制御送受信回路７２７に加えられ、ＣＰＵ７２２に取り込まれる。
　　　【００２８】
　そして、ＣＰＵ７２２の演算結果としての各種制御出力である給湯側着火信号Ｓｆ１、開閉制御信号Ｃｖ１、給湯側開閉制御信号Ｃｖ２、追焚側開閉制御信号Ｃｖ３、追焚側着火信号Ｓｆ２、給湯・注湯切換信号Ｓｈ１、追焚・注湯切換信号Ｓｈ２及びポンプ駆動信号Ｄｒは、出力回路７２８からそれぞれ制御対象に加えられる。
　　　【００２９】
　このような風呂釜において、浴槽２０内の水量検出を追焚時を例に取って工程順に説明する。
　　　【００３０】
　（ａ）　給湯・注湯切換弁４４を給湯側ａ、追焚・注湯切換弁５０を追焚側ｄに切り換えて、追焚循環管路６０を閉ループとして、追焚モードを設定する。
　　　【００３１】
　（ｂ）　この追焚モードに設定した後、ポンプ５６を駆動して浴槽２０内の湯水４ｃの温度を均一温度Ｔにする。その場合、浴槽２０の水温Ｔは、温度センサ７０によって検出する。
　　　【００３２】
　（ｃ）　浴槽２０内の水温を一定温度Ｔにした後、元弁３４及び追焚ガス弁６４を開くとともに、イグナイタ６６に着火信号Ｓｆ２を与えて電流を流して発熱させ、追焚バーナ２４に着火する。
　　　【００３３】
　（ｄ）　ポンプ５６によって湯水４ｃを循環させながら、追焚燃焼によって、浴槽２０内の湯水４ｃの温度を温度Ｔｏより僅かに高い温度ΔＴだけ均一に沸き上げるとともに、温度ＴｏからΔＴへの所要時間ｔを測定し、ＲＡＭ７２６内に書き込む。
　　　【００３４】
　（ｅ）　そして、予め、追焚バーナ２４の燃焼による追焚燃焼能力Ｎを測定してＲＯＭ７２５に記憶して置くものとすると、浴槽２０内の水量Ｑは、ＣＰＵ７２２で式（１）から、Ｑ＝Ｎ・ｔ／ΔＴとして算出される。例えば、ΔＴ＝１℃とすると、浴槽２０内の水量Ｑは、Ｑ＝Ｎ・ｔとなる。
　　　【００３５】
　また、この浴槽２０内の水量Ｑの算出は、一定時間ｔに対して上昇温度ΔＴを検出して、その上昇温度ΔＴをＲＡＭ７２６に記憶して式（１）から算出しても良い。
　　　【００３６】
　（ｆ）　そして、不足水量は、予め、浴槽２０の容積から設定水量Ｑ０が定まるので、それを遠隔制御器７４に設定して置き、その設定水量Ｑ０と、浴槽２０内の検出水量Ｑとから差水量ΔＱを、
　　　　　　　　ΔＱ＝Ｑ０−Ｑ　　　　　　　　　　　　　　・・・（２）
算出する。
　　　【００３７】
　（ｇ）　そこで、この差水量ΔＱの温水４ｂを浴槽２０内に供給するため、給湯・注湯切換弁４４を注湯側ｂ、追焚・注湯切換弁５０を注湯側Ｃに切り換えて浴槽２０内に温水４ｂを供給する。
　　　【００３８】
　この場合、給湯バーナ３０に着火することにより、水４ａを加熱して温水４ｂを得て供給し、または、給湯バーナ３０を着火しないで加熱しない水４ａを供給してもよい。
　　　【００３９】
　（ｈ）　適量の注湯または注水を行った後、給湯・注湯切換弁４４を給湯側ａ、追焚・注湯切換弁５０を追焚側ｄに切り換えて浴槽２０内に温水４ｂを適正温度Ｔまで沸き上げて、適正湯量及び適正温度への注湯・追焚を完了する。
　　　【００４０】
　なお、保温及び足し湯制御を行う場合には、一定の時間間隔で自動的に浴槽２０内への注湯及び追焚を繰り返すことにより、浴槽２０内の水量Ｑ及び温度Ｔを一定に保つ最適制御ができる。
　　　【００４１】
　また、追焚燃焼による沸き上げ時間は、熱効率によって影響されるが、熱効率を低下させる要因には、浴槽の材質、追焚配管、外気温、器具固有のガス圧セット値の誤差などがある。そこで、熱効率ηを次式により、
　　　　　　　　η＝Ｑ０×（Ｔ２−Ｔ１）／Ｓ×ｔ０　　　　　・・・　（３）
追焚時毎にＣＰＵ７２２によって算出してＲＡＭ７２６に記憶させ、追焚時毎にその値を更新する。ただし、Ｑ０は設定水量（＝注湯水量）、Ｔ１は注湯動作にて浴槽２０へ供給された水の均一温度、Ｔ２は沸き上り均一温度（＝沸き上り設定温度）、ｔ０は沸き上り時間、Ｓは追焚インプット能力である。即ち、Ｑ０×（Ｔ２−Ｔ１）は湯水に加えられる熱量、Ｓ×ｔ０バーナ側の発熱量である。
　　　【００４２】
　この場合、追焚バーナ２４側の発熱量である追焚インプット能力Ｓは予めＲＯＭ７２５の中に記憶しておき、循環する湯水４ｃに加えられる熱量である追焚燃焼能力Ｎは、追焚インプット能力Ｓと熱効率ηとの積（Ｎ＝Ｓ・η）で与えられる。
　　　【００４３】
　　【発明の効果】
　以上説明したように、この発明によれば、追焚機能を利用して
検出温度から湯水を前記検出温度より僅かに高い温度に加熱させて
特に、加熱時間を基準に浴槽内の湯水を加熱する従来の方法では、浴槽内の湯水が高温に加熱されて入浴者を火傷等の危険にさらすおそれがあるが、この発明では検出温度より僅かに高い温度に湯水を加熱するにすぎないため、入浴者を火傷等の危険にさらすおそれはなく、安全性の高い水量及び保温制御が実現できる。
【図面の簡単な説明】
　　【図１】
　この発明の給湯・追焚方法の実施形態である自動風呂釜を示す図である。
　　【図２】
　図１に示した自動風呂釜の給湯制御装置を示すブロック図である。
　　【符号の説明】
　４ｃ　湯水
　２０　浴槽
　２２　追焚用熱交換器（第１の加熱手段）
　２４　追焚バーナ（第１の加熱手段）
　２８　熱交換器（第２の加熱手段）
　３０　給湯バーナ（第２の加熱手段）
　４７　水流量センサ
　５６　ポンプ
　６０　追焚循環管路（循環経路）
　７０　温度センサ